(57)【特許請求の範囲】
【請求項１】
表面に対して上下方向に移動しないように固定されたアンカーと、
前記表面に支持された二つのブロックであって、各々が、他方のブロックの端に当接する端を有し、各々が、上面を有し、前記アンカーの上方に位置決めされた前記当接する端の間に上下方向開口を構成する二つのブロックと、
該二つのブロックの上面の下方に配置され前記上下方向開口の中に延び、前記二つのブロックを互いに固定する手段と、
前記上下方向開口内で前記二つのブロックの上面の下方に配置され、前記二つのブロックを前記アンカーに固定する手段と、を備え、
それにより、前記ブロックは、前記表面に対して上下方向に移動しないように固定され、
前記アンカーは、第三のブロックに埋め込まれた湾曲ロッドであり、
前記二つのブロックは、前記第三のブロック上に位置決めされている、
ことを特徴とする壁。
【請求項２】
アンカーと、
二つのブロックであって、各々が、他方のブロックの端に当接する端を有し、各々が、上面を有し、前記アンカーの上方に位置決めされた前記当接する端の間に上下方向開口を構成する二つのブロックと、
前記二つのブロック上面の下方に配置され、前記上下方向開口の中に延び、前記二つのブロックを互いに固定する手段と、
前記上下方向開口内で前記二つのブロックの前記上面の下方に配置され、前記二つのブロックを前記アンカーに固定する手段と、を備え、
前記ブロックの各々は、二つの間隔をおいた端と、該間隔をおいた端の間で前記ブロックを貫通して延びる通路と、を有し、
前記ブロック中の通路は、前記当接端で前記上下方向開口に連通する端を有し、
前記二つのブロックを互いに固定する手段は、前記通路を貫通し、且つ、前記上下方向開口の中に延びる張力をかけられたケーブルを有し、
前記アンカーは、第三のブロックに埋め込まれた湾曲ロッドであり、
前記二つのブロックは、前記第三のブロック上に位置決めされる、
ことを特徴とする壁。
【請求項３】
前記上下方向開口内の、前記二つのブロックをアンカーに固定する手段は、前記ケーブルと前記アンカーとの間を連結する、
請求項２記載の壁。
【請求項４】
前記二つのブロックの各々は、前記上下方向開口の中へ延びるフックを有し、
前記上下方向開口内の、前記二つのブロックをアンカーに固定する手段は、前記フックを前記アンカーに固定する係止部材を有する、
請求項２記載の壁。
【請求項５】
前記係止部材は、前記アンカーと係合する第一端と、ねじ付き第二端とを有するシャフトを有する第一部材と、前記上下方向開口内で前記フックと係合する端を有するブラケットと、を有し、
前記シャフトの第二端は、前記ブラケットの開口を貫通し、
前記係止部材は、前記ねじ付き第二端と係合するナットを有し、
それによって、前記係止部材は、前記フックと前記アンカーを連結する、
請求項４記載の壁。
【請求項６】
前記二つのブロックの各々は、前記二つのブロックの上面の下方で前記上下方向開口の中へ延びるフックを有し、
前記上下方向開口内の、前記上方の二つのブロックを前記アンカーに固定する前記手段は、前記フックを前記アンカーに固定する係止部材を有する、
請求項１記載の壁。
【請求項７】
前記係止部材は、前記アンカーと係合する第一端と、ねじ付き第二端とを有するシャフトを有する第一部材と、
前記上下方向開口内で前記フックと係合する端を有するブラケットと、備え、
前記シャフトの第二端は、前記ブラケットの開口を貫通して延び、
前記係止部材は、前記ねじ付き第二端と係合するナットを有し、
それによって、前記係止部材は、前記フック及び前記アンカーを連結する、
請求項６記載の壁。
【請求項８】
ａ）表面に対して上下方向に移動しないアンカーを形成するステップと、
ｂ）第一ブロック及び第二ブロックを形成するステップと、を有し、
各ブロックは、上下方向溝を構成する端を有し、各ブロックは上面を有し、
ｃ）前記上下方向溝が当接し前記第一ブロックと前記第二ブロックとの間に上下方向開口を形成し、前記上下方向開口が前記アンカーの上方に位置決めされた状態で、前記第一ブロック及び第二ブロックを、前記表面の上方で、互いに端と端を付けて配置するステップを有し、
ｄ）前記上下方向開口に部材を挿入して、前記第一ブロック及び第二ブロックを前記アンカーに固定するステップを有し、前記部材が、前記第一及び第二ブロックの前記上面の下方に配置され、それにより、前記第一及び第二ブロックは、前記部材によって前記表面に対して上下方向に移動しないように固定される、
前記アンカーは、第三のブロックに埋め込まれた湾曲ロッドであり、且つ第三ブロックの上側の面に形成される、
ことを特徴とする二つの壁ブロックを固定するための方法。
【請求項９】
前記第一及び第二壁ブロックの各々に、フックを埋め込むステップを更に有し、
前記フックは、前記ブロックに対し、前記上下方向溝の中へ延び、
前記部材は、前記開口の中へ挿入され、前記フックと前記アンカーとを係合する、
請求項８記載の二つの壁ブロックを固定するための方法。
【請求項１０】
前記第一ブロックの前記上下方向溝から前記第一ブロックを貫通する第一通路を形成するステップと、
前記第二ブロックの前記上下方向溝から前記第二ブロックを貫通する第二通路を形成するステップと、
前記第一通路、前記上下方向開口及び前記第二通路の中に、ケーブルを通すステップと、
前記ケーブルに張力を与えるステップと、を更に有する、
請求項８記載の二つの壁ブロックを固定するための方法。
【請求項１１】
前記部材は、前記ケーブルを前記アンカーに連結する、
請求項１０記載の二つの壁ブロックを固定するための方法。
【請求項１２】
ａ）第三ブロックの上側の面にアンカーを形成するステップを有し、該アンカーは第三のブロックに埋め込まれた湾曲ロッドであり、
ｂ）第一ブロック及び第二ブロックを形成するステップと、を有し、
第一及び第二ブロックの各々は、上面と、上下方向溝を構成する端と、前記上面の下方に配置され、当該ブロックに埋め込まれ、前記上下方向溝内に延びるフックとを有し、
ｃ）前記第一ブロック及び第二ブロックを前記上側の面の上方に互いに端と端を付けて配置するステップを有し、
前記上下方向溝は当接して前記壁ブロックの間に上下方向開口を形成し、前記上下方向開口は前記アンカーの上方に位置決めされ、
ｄ）前記上下方向開口に部材を挿入して、前記第一ブロック及び第二ブロックのフックを前記アンカーに固定し、前記部材は、前記第一ブロック及び第二ブロックの上面の下方に配置されるステップと、
ｅ）前記第一ブロックの前記上下方向溝から前記第一ブロックを貫通する第一通路を形成するステップと、
ｆ）前記第二ブロックの前記上下方向溝から前記第二ブロックを貫通する第二通路を形成するステップと、
ｇ）前記第一通路、前記上下方向開口及び前記第二通路の中にケーブルを通し、前記ケーブルに張力を与えるステップとを有する、
ことを特徴とする二つの壁ブロックを固定するための方法。
【発明の詳細な説明】
【背景技術】
【０００１】
擁壁及び自立壁の両方は、しばしば、コンクリートブロックで構築される。高い安定性のために、ブロックは、ブロックの段の移動を阻止するために、段に隣接して、ブロックの間に、相互係止ノブ及び溝を備えて形成される。
【０００２】
壁は、壁の外側での爆発による建物への損害を減ずるために、力阻止壁として、建物の周りに構築される。力阻止壁はまた、車両が、建物の周囲の安全地帯に入らないようにすることができる。例えば、かかる壁は、爆弾を積んだテロリストの車両が政府の建物に接近する可能性を防止するために、構築される。この場合、決心した車両運転手による安全地帯の突破を、壁がうまく阻止するか否か、壁の強度は重量である。
【０００３】
強い一体壁が、適所に注入され且つスチールロッドで補強されたコンクリートで形成される。しかしながら、これらの壁は、段に積み重ねたプレキャストブロックで形成された壁より、高価であり、且つ、構築するのに長くかかる。さらに、注入コンクリート壁は、それらが構築された後で移動させることができない。一方、積み重ねたコンクリートブロックで形成された壁は、直ぐに構築することができ、後で移動させることができる。しかしながら、かかる壁は、一体壁の安全性を提供することができず、自動車によって、或いは、爆弾によって、より容易に突破される。
【発明の開示】
【０００４】
本発明は、自立壁又は擁壁を形成するために、段に積み重ねた相互連結コンクリートブロックのためのシステムに関する。ブロックは、段に隣接した当接ブロックの端をずらして、段に積み重ねられる。二つの隣接したブロック端は、互いに連結され、又は、二つの隣接したブロックの端が当たる隣接したより下の段に隣接したブロックに連結される。所望ならば、ブロックの最低段上のブロックの隣接した端は、互いに連結し、かつ、壁を更に安定化させるアンカー台に連結される。壁を更に強化するために、水平チューブが、ブロックの両端の間に延びるように、各コンクリートブロックに埋め込まれる。ブロックが端と端とを繋いで積み重ねられて、段を形成した後、ケーブルが、チューブの中を通されて、張力をかけられる。
【０００５】
したがって、本発明の目的は、積み重ねたコンクリートブロックで形成された壁を強化するためのシステムを提供することにある。
【発明を実施するための最良の形態】
【０００６】
本発明の以下の説明では、ある専門用語が、参照だけの目的のために使用され、限定されるべきものではない。「上」及び「下」のような用語は、参照される図面における方向を指す。「頂」、「底」、「水平」、「垂直」のような用語は、一貫するが任意の参照されるフレームの中の構成要素の部分の向きを表し、討議中の構成要素を説明する関連した文章及び図面を参照することによって明らかになる。かかる専門用語には、上述した特定の用語、その派生語、及び、同様の輸入語が含まれる。
【０００７】
今、図面を参照すると、図１は、例示の自立壁１０の断面を示す。壁１０は、三つの段１１〜１３を含む。しかしながら、壁１０を、所望の壁の高さを作る任意の段数で構築することができることが認識されるであろう。段１１〜１３は、主として、コンクリートブロックで形成される。図示したブロック１４は、ほぼ直方六面体であるけれども、ブロック１４は、壁１０を構築するのに適した任意の形状のものでもよいことが認識されるであろう。
【０００８】
例示の壁１０は、力阻止壁として働くように構築されている。壁１０はまた、ブロック１４の露出面１５に、随意の質感及び着色を与えて、所望の表面、例えば、自然石を模造することによって、装飾壁として機能してもよい。ブロック１４は、所望の強度を壁１０に与えるのに十分な寸法で形成される。例えば、ブロック１４は、約１０００ポンドと約３０００ポンド又はそれ以上との間の範囲の重量を有するように寸法決めされるのがよい。本発明による強い自立壁１０が、４６インチ（１１８ｃｍ）の幅、２４インチ（６１ｃｍ）の奥行き、及び１８インチ（４６ｃｍ）の高さを有するブロック１４で構築された。しかしながら、ブロック１４の重量及び寸法形状は、用途、及び、所望の壁の強度及び外観に応じて変更できることが認識されるであろう。
【０００９】
図１〜図３に示すように、ブロック１４は、上面１７に一つ以上（二つ図示された）のノブ１６を有するように設計されるのがよい。選択的に、図示するように、上のノブ１６は、最上段１３を形成するブロック１４から省かれてもよい。ブロック１４は、段１１〜１３の隣接したブロック間で噛み合わせを形成するように設計され、底面に溝１８を備える。選択的に、底の溝１８は、地面の上に位置する最下段１１を形成するブロクから省かれてもよい。ブロックは、例えば、公開された米国特許出願第ＵＳ２００１／００２６７３４Ａ１号及び第ＵＳ２００１／００１９６８４号に示された種類のものがよく、その開示がここに引用される。
【００１０】
凹部２０が、ブロック１４の上面１７の中央に形成される。湾曲ロッド２１が、アンカー２２を形成するように、凹部２１を横切って延びるように、ブロック１４に埋め込まれる。図示するように、凹部２０及び湾曲ロッド２１は、最上段１３を形成するブロック１４から省かれてもよい。壁１０を構築するときに、チェーン（図示せず）が、各部ロック１４を持ち上げて、適所に置くために、アンカー２２に取り付けられるのがよい。
【００１１】
本発明の一つの特徴によれば、チューブ２３が、ブロック１４の両端２４及び２５の間で延びるように、各ブロックに埋め込まれる。ブロック１４が、壁１０の段を形成するように、端と端とを付けて配置されるときに、チューブ２３は、ケーブル２６がチューブ２３の中を通れるように十分整列される。ケーブル２６は、段の両端を形成するブロック１４に固定され、ケーブル２６は、ポストテンション法で作られて、段を形成するブロック１４を一緒に固定する。
【００１２】
図２〜図４に最も良く見えるように、半円形の縦溝２７が、ブロック１４の各端２４及び２５の中央に形成される。ロッドが、各縦溝２７の一部分を横切って延びるフック２８を形成するように、ブロック１４中に埋め込まれる。フック２８及びアンカー２２は、例えば、鉄筋からなる曲がった長い物で、他の種類のスチールロッド又はケーブルで、又は、ブロック１４に埋め込まれている平板に固定された特別丈夫なアイボルトで、形成されるのがよい。
【００１３】
本発明の別の特徴によれば、例えば段１２の二つのブロック１４の隣接した端は、互いに固定され、且つ、ブロック１４の隣接した下段、例えば、段１１の隣接したブロック１４に固定される。ブロックの最下段１１について、二つのブロック１４の隣接した端２４及び２５は、互いに固定され、且つ、アンカー台（図示せず）に固定され、或いは、端２４及び２５は、選択的に、地面に固定されない。
【００１４】
二段１１及び１２のブロック１４の断片的な部分が、図４及び図５に示されている。段１２の二つのブロック１４の端２４と端２５とが当接するとき、縦溝２７は、一緒になって、ほぼ円筒の縦開口を形成する。段１２のブロック１４の間の各開口２９が、段１１の一つのブロック１４の頂部のアンカー２２の上方に位置するように、図示した二段１１及び１２のブロック１４は、互い違いに配列される。
【００１５】
係止器具３０が、二つの隣接したブロック１４の間で、二つのブロック１４を互いに固定し、或いは、下のブロック１４に、又は、二つの隣接したブロック１４が載っている面に、埋め込まれているアンカー２２に固定するように連結される。例えば、アンカー２２はまた、壁のための注入コンクリート根積みに埋め込み、或いは、壁が構築されるべき舗道に固定することもでき、或いは、アンカー２２は、既知の種類のアンカー台でもよい。係止器具３０は、鉤状に曲がった下端３２を有するロッドの形状のＪ形部材３１と、ナット３４を受けるためのねじ付き上端３３で終わるシャフトと、ブラケット３５とからなる。ブラケット３５は、Ｊ形部材３１を通すように寸法決めされた中央開口を有し、ブロックの端２４及び２５に隣接して、フック２８と係合するための鉤状、又は他の形状の端３６を有する。ブロック１４を互いに固定するため、係止器具３０を円筒開口内へ挿入し、鉤状の下端３２を、隣接した下のブロックのアンカー２２の下に引っ掛ける。次いで、鉤状端３６が、各ブロック１４の端２４，２５から突出するフック２８と係合するように、ブラケット３５を位置決めし、ナット３４を締める。任意の適当な係止器具を使用することができ、また、適当な係止器具は、必ずしも、上記の係止器具３０である必要はない。
【００１６】
好ましくは、段のブロック１４を、互いに、且つ、隣接した下段のブロックに、又は、係止器具３０付きのアンカー台に、固定した後、ブロック１４の各段のためのケーブル２６をチューブ２３の中に通す。
【００１７】
選択的に、壁１０が恒久的設備であるべきならば、各段の隣接したブロック１４の間の円筒形開口２９は、壁１０を形成する次の段のブロックを積み重ねる前に、コンクリートで満たされるのがよい。円筒形開口２９を満たすコンクリートは、隣接したブロック１４の端を互いに更に係止するキー（図示せず）を形成する。
【００１８】
図７及び図８は、二つのブロック４０を、端と端とを付けた配列で互いに、且つ、隣接した下のブロック４２に埋め込まれたアンカー４１に、固定するための変更した構造を示す。縦開口４３が、二つのブロック４０の当接する端４４と端４５の間に形成される。二つのブロック４０は、縦開口４３がアンカー４１の上方に位置決めされるように置かれる。ブロック４０の各々は、縦開口からブロック４０を貫通して延びる通路４６を有する。ケーブル４７が、通路４６の中に通され、張力をかけられてブロック４０どうしを固定する。係止器具４８は、ケーブル４７とアンカー４１との間に連結されて、二つのブロック４０を下のブロック４２に、又は、ブロック４０を支持する他の表面に、確実に連結する。係止器具４８は、鉤状下端５０と、ねじ付き上端５２で終わるシャフト５１とを有するほぼＪ形の部材４９を有する。シャフト５１は、ブラケット５４の開口５３を貫通し、ブラケット５４は、鉤状、又は、ケーブル４７と係合する他の形状である。使用中、部材４９の鉤状の下端５０は、アンカー４１と係合するように位置決めされ、ナットがシャフト端５２にねじ込まれて、ケーブル４７とアンカー４１との間をしっかりと連結する。
【００１９】
壁を形成するブロックを相互連結するためのシステムに対する他の変形例が、本発明の精神及び範囲から逸脱することなく、当業者にとって明らかであることが認識されるであろう。本システムは、自立式力阻止壁を構築するのに使用するのに特に有用であるけれども、本システムは、壁を支持するような他の用途に使用することもできる。本発明の上記の好ましい実施形態では、ブロックが積み重ねされるときに、ブロック１４の整列を容易にし、また、壁１０に強度を与えるために、ノブ１６がブロック１４の頂に形成され、且つ、溝１８がブロック１４の底に形成される。本発明はまた、本発明の範囲から逸脱することなく、頂のノブ１６及び底の溝１８を有さないブロックと一緒に使用してもよいし、ブロックを形成するための他の構造を有するコンクリートブロックと一緒に使用してもよい。
【図面の簡単な説明】
【００２０】
【図１】本発明による互いに連結されたコンクリートブロックで構築された三段の自立壁の部分斜視図である。
【図２】図１の自立壁のコンクリート壁具ロックの斜視図である。
【図３】図２のコンクリート壁ブロックの端面図である。
【図４】二つのブロック間の連結の詳細を示す、端と端とを付けて配置された図２の二つのコンクリートブロックの部分上面図である。
【図５】図４の線５−５における拡大部分断面図である。
【図６】図５の係止器具の分解図である。
【図７】二つの壁ブロックを固定するための変更した構造の拡大部分断面図である。
【図８】図７に示した変更した係止器具の側面図である。
【図１】
0004607577.tif 000002
【図２】
0004607577.tif 000003
【図３】
0004607577.tif 000004
【図４】
0004607577.tif 000005
【図５】
0004607577.tif 000006
【図６】
0004607577.tif 000007
【図７】
0004607577.tif 000008
【図８】
0004607577.tif 000009